(57)【要約】【課題】タグ装置の消費電力を低減することができる情報取得装置を提供すること。【解決手段】情報取得装置は、光ビームを出射する出射部と、前記出射部から出射された光ビームが物体で反射した再帰光を受光する受光部と、前記受光部により前記再帰光が受光された場合に、前記物体から送信された情報信号を受信する受信部と、前記受信部により受信された情報信号に基づき、前記物体の識別情報を取得する取得部と、を備える。【選択図】図７
2013088943.tif 000002
【特許請求の範囲】
【請求項１】
光ビームを出射する出射部と、
前記出射部から出射された光ビームが物体で反射した再帰光を受光する受光部と、
前記受光部により前記再帰光が受光された場合に、前記物体から送信された情報信号を受信する受信部と、
前記受信部により受信された情報信号に基づき、前記物体の識別情報を取得する取得部と、
を備える情報取得装置。
【請求項２】
請求項１に記載の情報取得装置に於いて、さらに、
前記受光部により前記再帰光が受光された場合に、前記物体の識別情報を要求する要求信号を送信する送信部を備える情報取得装置。
【請求項３】
請求項２に記載の情報取得装置に於いて、
前記送信部は、前記要求信号の送信に関して指向性を有していて、
前記指向性を有する方向が前記光ビームを出射する方向となる様に配置されている情報取得装置。
【請求項４】
請求項１乃至３の何れかに記載の情報取得装置に於いて、
前記受信部は、前記情報信号の受信に関して指向性を有していて、
前記指向性を有する方向が前記光ビームを出射する方向となる様に配置されている情報取得装置。
【請求項５】
請求項１乃至４の何れかに記載の情報取得装置に於いて、さらに、
前記取得部により取得された識別情報を、前記識別情報に関連する関連情報を格納する格納部と通信可能な通信機器に転送する転送部を備える情報取得装置。
【請求項６】
操作機から出射された光ビームが物体で反射した再帰光を受光する工程と、
前記再帰光が受光された場合に、前記物体から送信された情報信号を受信する工程と、
前記情報信号に基づき、前記物体の識別情報を取得する工程と、
を備える情報取得方法。
【請求項７】
請求項６に記載の情報取得方法に於いて、さらに、
前記再帰光が受光された場合に、前記操作機から前記物体の識別情報を要求する要求信号を送信する工程を備える情報取得方法。
【請求項８】
請求項６又は７に記載の情報取得方法に於いて、
前記操作機は、前記要求信号の送信に関して、前記光ビームを出射する方向に指向性を有する情報取得方法。
【請求項９】
請求項６乃至８の何れかに記載の情報取得方法に於いて、さらに、
前記識別情報を、前記識別情報に関連する関連情報を格納する格納部と通信可能な通信機器に転送する工程を備える情報取得方法。
【請求項１０】
設備機器を識別するために使用されるタグ装置に於いて、
任意の方向から照射される光ビームを前記任意の方向に再帰性反射する反射部と、
前記タグ装置に固有の識別情報を記憶する記憶部と、
前記識別情報を要求する要求信号を受信する受信部と、
前記受信部により受信された要求信号に基づき、前記記憶部に記憶されている識別情報を送信する送信部と、
を備えるタグ装置。
【発明の詳細な説明】
【技術分野】
【０００１】
開示の技術は、例えば設備機器の識別情報等の情報を取得する情報取得装置、情報取得方法、及びタグ装置に関する。
【背景技術】
【０００２】
物体に貼り付けられた光ＩＤタグの識別情報を読み取る技術として、光ＩＤリーダから放射された光ビームを、光ＩＤタグのメモリに記憶された識別情報で変調することで、光ＩＤタグの反射光に識別情報を付加する技術が開示されている。識別情報が付加された反射光は、光ＩＤタグの再帰性反射部で再帰性反射をして、光ビームが放射された光ＩＤリーダに受信されることになる。従来技術にかかるＩＤリーダでは、光ビームを識別情報で変調する変調手段として、液晶変調器が使用されている。
【先行技術文献】
【特許文献】
【０００３】
【特許文献１】特開２００６−１１９４８号公報
【発明の概要】
【発明が解決しようとする課題】
【０００４】
ところで、従来技術にかかる光ＩＤリーダによれば、利用者は、光ＩＤタグの識別情報を要求するときに、光ＩＤリーダを操作して、光ＩＤタグに光ビームを照射する。しかし、光ＩＤタグは、どのタイミングで識別情報を要求されるか事前に把握することができない。従って、要求された識別情報を迅速に光ＩＤリーダに提供するためには、常時、光ＩＤタグを、特に液晶変調器を稼働状態としておく必要がある。このため、従来技術にかかる光ＩＤタグでは、消費電力を充分に低減することができない。
【０００５】
開示の技術は、タグ装置の消費電力を低減することができる情報取得装置、情報取得方法、及びタグ装置を提供する。
【課題を解決するための手段】
【０００６】
開示の技術の一観点によれば、光ビームを出射する出射部と、前記出射部から出射された光ビームが物体で反射した再帰光を受光する受光部と、前記受光部により前記再帰光が受光された場合に、前記物体から送信された情報信号を受信する受信部と、前記受信部により受信された情報信号に基づき、前記物体の識別情報を取得する取得部と、を備える情報取得装置が提供される。
【発明の効果】
【０００７】
開示の技術によれば、タグ装置の消費電力を低減することができる。
【図面の簡単な説明】
【０００８】
【図１】一実施形態にかかる情報取得システムが使用される環境の概略図である。
【図２】一実施形態にかかる情報取得システムの概略図である。
【図３】一実施形態にかかる操作機の概略図である。
【図４】一実施形態にかかるＩＤ情報信号受信ユニットの概略図である。
【図５】一実施形態にかかる第１、第２の絞り板により規定される受光可能領域の概略図である。
【図６】一実施形態にかかる通信タグの概略図である。
【図７】一実施形態にかかる操作機に内蔵されたコントローラの機能ブロック図である。
【図８】一実施形態にかかる操作機に内蔵されたコントローラによる処理のフローチャートである。
【図９】一実施形態にかかる通信タグに内蔵されたコントローラの機能ブロック図である。
【図１０】一実施形態にかかる通信タグに内蔵されたコントローラによる処理のフローチャートである。
【発明を実施するための形態】
【０００９】
以下、図１−図１０を参照しながら、一実施形態を説明する。
【００１０】
（情報取得システムの構成）
図１は、一実施形態にかかる情報取得システムが使用される環境の概略図である。
【００１１】
図１に示すように、本実施形態にかかるＩＤ情報信号受信ユニット１４は、例えば利用者の周囲に存在するプロジェクタ等の設備機器Ａの関連情報を取得するための情報取得システムに組み込まれる。
【００１２】
例えば、利用者Ｕがはじめて訪問した会議室等でプレゼン等を実施する場合、該会議室等に設置されているプロジェクタ等の設備機器Ａの使用法がわからず、プレゼン等の進行に支障が出ることがある。本実施形態にかかる情報取得システムでは、例えば操作機１０と、通信タグ２０と、携帯端末３０と、情報提供部４０と、を使用して、はじめての環境下に於いても、利用者Ｕの周囲に存在するプロジェクタ等の設備機器Ａの使用法等を参照できる仕組みを提供する。なお、本実施形態では、プロジェクタ等の設備機器Ａの使用法を参照する仕組みを説明するが、本発明は、これに限定されるものではない。例えば、利用者Ｕの周囲に存在する、あらゆる機器の使用法等の関連情報を取得する際にも、以下の仕組みを使用することができる。
【００１３】
図２は、一実施形態にかかる情報取得システムの概略図である。
【００１４】
図２に示すように、情報取得システムは、操作機１０と、通信タグ２０と、携帯端末３０と、情報提供部４０と、を備える。
【００１５】
操作機１０は、ポインティングレーザ光Ｌｐを出射するレーザポインタ１１と、ポインティングレーザ光Ｌｐの再帰光Ｌｒ（後述する）の照度を検出する照度センサ１２と、利用者Ｕの周囲に存在する設備機器Ａの通信タグ２０にＩＤ要求信号Ｓｒを送信するＩＤ要求信号送信ユニット１３と、設備機器Ａの通信タグ２０から送信されたＩＤ情報信号Ｓｉを受信するＩＤ情報信号受信ユニット１４と、ＩＤ情報信号Ｓｉに対応するＩＤコードＣを、利用者Ｕが携帯する携帯端末３０に送信する無線通信ユニット１５と、レーザポインタ１１、照度センサ１２、ＩＤ要求信号送信ユニット１３、ＩＤ情報信号受信ユニット１４及び無線通信ユニット１５を制御するコントローラ１６と、を備える。
【００１６】
レーザポインタ１１は、利用者Ｕによる、例えば機械スイッチ（図示しない）のＯＮ動作に基づき、ポインティングレーザ光Ｌｐを出射する。ポインティングレーザ光Ｌｐは、特に限定されるものではないが、本実施形態では、波長が約６５０ｎｍ、周波数が約４５０ｋＨｚのＡＭ変調波を使用する。
【００１７】
照度センサ１２は、レーザポインタ１１近傍に配置され、通信タグ２０の再帰性シート２１（後述する）により反射された再帰光Ｌｒの照度を検出する。照度センサ１２は、センサ本体と、コンパレータと、を備える。センサ本体は、再帰光Ｌｒの照度に対応する電圧信号を出力する。センサ本体は、特に限定されるものではないが、例えばフォトダイオード等を使用しても良い。コンパレータは、センサ本体から出力された電圧信号と、事前に付与された閾値と、を比較して、電圧信号が閾値よりも高いときに信号「１」、電圧信号が閾値よりも低いときに信号「０」を出力する。なお、照度センサ１２は、レーザポインタ１１からポインティングレーザ光Ｌｐが出射されたことをトリガとして起動され、再帰光Ｌｒの照度を検出するための待機を開始しても良い。
【００１８】
ＩＤ要求信号送信ユニット１３は、照度センサ１２からの出力信号が「０」から「１」に変化したことをトリガとして、即ち照度センサ１２が再帰光Ｌｒを受光したことをトリガとして、ＩＤ要求信号Ｓｒを送信する。ＩＤ要求信号Ｓｒは、例えば設備機器Ａに付与されたＩＤ情報を要求する信号である。ＩＤ要求信号送信ユニット１３としては、例えば高指向性の赤外線送信モジュールを使用しても良い。赤外線送信モジュールは、例えば赤外ＬＥＤによる点滅パターンを利用して、ＩＤ要求コマンドを送信する。
【００１９】
ＩＤ情報信号受信ユニット１４は、通信タグ２０のＩＤ情報信号送信ユニット２４から送信されたＩＤ情報信号Ｓｉを受信する。ＩＤ情報信号受信ユニット１４は、受光素子１４１と、アンプ（図示しない）と、フィルタ（図示しない）と、検波回路（図示しない）と、を備える。受光素子１４１は、赤外線を受光して、該赤外線の強度に対応する電圧信号を出力する。アンプは、受光素子１４１から出力された電圧信号を増幅する。フィルタは、アンプにより増幅された電圧信号からノイズを除去する。検波回路は、フィルタによりノイズが除去された電圧信号を検波して、ＩＤ情報信号Ｓｉに対応する電圧信号を出力する。なお、ＩＤ情報信号受信ユニット１４は、ＩＤ要求信号送信ユニット１３からＩＤ要求信号Ｓｒが送信されたことをトリガとして起動され、ＩＤ情報信号Ｓｉを受信するための待機を開始しても良い。ＩＤ情報信号受信ユニット１４の詳細構成は、後述することとする。
【００２０】
無線通信ユニット１５は、コントローラ１６により生成されたＩＤコードＣ（後述する）を、Bluetooth等の通信方式により、例えばペアリングされた携帯端末３０に送信する。ＩＤコードＣは、ＩＤ情報信号受信ユニット１４により受信されたＩＤ情報信号ＳｉのＩＤ情報に操作機１０の操作機ＩＤを統合して、これをコード化したものである。本実施形態では、ＩＤコードＣの通信方式として、Bluetoothを採用しているが、本実施形態は、これに限定されるものではない。
【００２１】
コントローラ１６は、プロセッサ１６１と、メモリ１６２と、を備える。プロセッサ１６１は、メモリ１６２に格納された制御プログラムに基づき、ポインティングレーザ光Ｌｐの出射からＩＤコードＣの送信までの各種処理を実現する。コントローラ１６により実行される機能ブロックは、後述することとする。
【００２２】
（操作機１０の概略構成）
図３は、一実施形態にかかる操作機１０の概略構成を示していて、（ａ）は側面図、（ｂ）は正面図である。
【００２３】
図３に示すように、操作機１０は、利用者Ｕが把持する筺体１０ａを有していて、筺体１０ａの正面Ｓｆ側には、レーザポインタ１１、照度センサ１２、ＩＤ要求信号送信ユニット１３、ＩＤ情報信号受信ユニット１４が配列されている。
【００２４】
レーザポインタ１１、照度センサ１２、ＩＤ要求信号送信ユニット１３、ＩＤ情報信号受信ユニット１４は、それぞれ、ポインティングレーザ光Ｌｐの出射部１１ｏ、再帰光Ｌｒの照度の検出部１２ｏ、ＩＤ要求信号Ｓｒの送信部１３ｏ、ＩＤ情報信号Ｓｉの受信部１４ｏ、を筺体１０ａの外側に向けている。
【００２５】
ＩＤ要求信号送信ユニット１３及びＩＤ情報信号受信ユニット１４は、それぞれ筺体１０ａに取り付けられたフィルタカバー１０ｂにより被覆されている。特に、ＩＤ情報信号受信ユニット１４を被覆するフィルタカバー１０ｂは、空間Ｓ（後述する）の側方に位置する隙間Ｓｏを被覆している。フィルタカバー１０ｂは、ＩＤ要求信号ＳｒやＩＤ情報信号Ｓｉの通信媒体である赤外線を選択的に透過させる。このため、ＩＤ要求信号ＳｒやＩＤ情報信号Ｓｉの通信媒体である赤外線以外の波長領域の光は、フィルタカバー１０ｂに遮断され、ＩＤ要求信号送信ユニット１３及びＩＤ情報信号受信ユニット１４に到達することはない。
【００２６】
（ＩＤ情報信号受信ユニット１４の詳細構成）
図４は、一実施形態にかかるＩＤ情報信号受信ユニット１４の概略構成を示していて、（ａ）は正面図、（ｂ）は断面図、（ｃ）は平面図である。図５は、一実施形態にかかる第１、第２の絞り板１４４、１４５により規定される受光可能領域Ｒの概略図である。
【００２７】
図４、図５に示すように、本実施形態にかかるＩＤ情報信号受信ユニット１４は、赤外線を受光する受光素子１４１と、受光素子１４１を搭載する回路基板１４２と、操作機１０の筺体１０ａに回路基板１４２を固定するブラケット１４３と、受光素子１４１に照射される赤外線の入射角範囲、即ち受光可能領域Ｒを規定する第１、第２の絞り板１４４、１４５と、を備える。
【００２８】
受光素子１４１は、素子本体１４１ａと、素子本体１４１ａの前面、即ち回路基板１４２とは逆側の表面に形成される受光部１４１ｂと、素子本体１４１ａを封止する封止樹脂１４１ｃと、を備える。封止樹脂１４１ｃは、例えばエポキシ樹脂等の透明樹脂からなり、受光部１４１ｂの前方には、概して球面型の集光レンズ１４１ｒが形成されている。このため、第１、第２の絞り板１４４、１４５の第１、第２の透光孔１４４ｏ、１４５ｏを透過した赤外線は、封止樹脂１４１ｃの集光レンズ１４１ｒにより集光され、受光素子１４１の受光部１４１ｂに照射される。受光素子１４１は、特に限定されるものではないが、本実施形態では、エバーライト社のＩＲＭ-３６４０Ｎ３を使用している。
【００２９】
第１の絞り板１４４は、回路基板１４２に平行に配置され、受光素子１４１の受光部１４１ｂに対応する位置には、第１の透光孔１４４ｏが形成されている。第２の絞り板１４５は、第１の絞り板１４４に平行に配置され、第１の透光孔１４４ｏに対応する位置には、第２の透光孔１４５ｏが形成されている。
【００３０】
第１、第２の絞り板１４４、１４５は、所定間隔だけ離間していて、第１、第２の絞り板１４４、１４５間には、空間Ｓが形成されている。第１、第２の絞り板１４４、１４５の間隔Ｌ、即ち空間Ｓの高さは、特に限定されるものではないが、本実施形態では、約１ｍｍ〜５ｍｍとしている。
【００３１】
第１、第２の透光孔１４４ｏ、１４５ｏの形状は、特に限定されるものではないが、本実施形態では、何れも円型としている。第１、第２の透光孔１４４ｏ、１４５ｏの内周縁は、それぞれの中心に接近するほど薄くなるように傾斜している。このため、第１、第２の透光孔１４４ｏ、１４５ｏの内周面で生じる赤外線の乱反射が抑制される。
【００３２】
第１、第２の透光孔１４４ｏ、１４５ｏの内径ｄは、概して同等であるが、第１、第２の絞り板１４４、１４５の間隔をＬとし、利用者Ｕが要求する受光可能領域Ｒの円錐角、即ち赤外線の最大入射角をθとしたときに、ｄ＝Ｌｔａｎθの関係を満足するように決定される。なお、本実施形態では、第１、第２の透光孔１４４ｏ、１４５ｏの内径ｄを、約１ｍｍ〜５ｍｍとしている。
【００３３】
以上のような第１、第２の絞り板１４４、１４５は、複数の支柱１４６、本実施形態では、４本の支柱１４６により連結されている。４本の支柱１４６は、相互に離間していて、支柱１４６及び支柱１４６間には、隙間Ｓｏが形成されている。これにより、本実施形態にかかる第１、第２の絞り板１４４、１４５間の空間Ｓは、第１、第２の絞り板１４４、１４５の板面方向の側方に開放している。なお、ここでの板面方向とは、第１、第２の絞り板１４４、１４５の板面と平行な方向を意味する。
【００３４】
従って、受光可能領域Ｒの外側から第１、第２の絞り板１４４、１４５間の空間Ｓに入射した赤外線Ｌｎは、図５に示すように、第１、第２の絞り板１４４、１４５の内面で反射を繰り返して、空間Ｓの側方に位置する隙間ＳｏからＩＤ情報信号受信ユニット１４の外側に逃がされる。逆に言えば、受光可能領域Ｒの外側から隙間Ｓに入射した赤外線Ｌｎは、第１、第２の絞り板１４４、１４５の内面で反射を繰り返したとしても、受光素子１４１の受光部１４１ｂに照射されることがない。これにより、本実施形態にかかるＩＤ情報信号受信ユニット１４によれば、受光可能領域Ｒの内側から隙間Ｓに入射した赤外線だけを確実に受信することができる。
【００３５】
（通信タグ２０の概略構成）
図６は、一実施形態にかかる通信タグ２０の概略図である。
【００３６】
図６に示すように、本実施形態にかかる通信タグ２０は、再帰性シート２１と、通信モジュール２２と、を備える。なお、通信タグ２０は、設備機器Ａ、Ｂ…のそれぞれと共に、１つの物体とみなしても良い。
【００３７】
再帰性シート２１は、任意の方向から入射するポインティングレーザ光Ｌｐを、該ポインティングレーザ光Ｌｐの入射方向に反射する。即ち、レーザポインタ１１から再帰性シート２２に照射されたポインティングレーザ光Ｌｐは、再帰性シート２１の向きに依らず、レーザポインタ１１側に反射される。
【００３８】
通信モジュール２２は、ＩＤ要求信号受信ユニット２３と、ＩＤ情報信号送信ユニット２４と、ＩＤ要求信号受信ユニット２３及びＩＤ情報信号送信ユニット２４を制御するコントローラ２５と、を備える。
【００３９】
ＩＤ要求信号受信ユニット２３は、操作機１０のＩＤ要求信号送信ユニット１３から送信されたＩＤ要求信号Ｓｒを受信する。ＩＤ要求信号受信ユニット２３は、特に限定されるものではないが、本実施形態では、低指向性の、即ち広角型の赤外線受信モジュールを使用している。従って、ＩＤ要求信号受信ユニット２３に斜めから入射するＩＤ要求信号Ｓｒも確実に受信することができる。
【００４０】
ＩＤ情報信号送信ユニット２４は、ＩＤ要求信号送信ユニット１３からのＩＤ要求信号Ｓｒに基づき、コントローラ２５のメモリ２５２（後述する）に格納されたＩＤ情報を、ＩＤ情報信号Ｓｉとして送信する。ＩＤ情報は、設備機器Ａ、Ｂ…を識別するために、通信タグ２０それぞれに個別に付与されたものである。ＩＤ情報信号送信ユニット２４としては、低指向性の、即ち広角型の赤外線送信モジュールが使用される。このため、ＩＤ情報信号送信ユニット２４から送信されるＩＤ情報信号Ｓｉは、ＩＤ要求信号Ｓｒを送信している操作機１０だけでなく、該操作機１０の周囲の広範囲に送信されることになる。赤外線送信モジュールは、例えば赤外ＬＥＤによる点滅パターンを利用して、ＩＤ情報を送信する。
【００４１】
コントローラ２５は、プロセッサ２５１と、メモリ２５２と、を備える。プロセッサ２５１は、メモリ２５２に格納された制御プログラムに基づき、ＩＤ要求信号Ｓｒの受信からＩＤ情報信号Ｓｉの送信までの各種処理を実現する。コントローラ２５により実行される機能ブロックは、後述することとする。メモリ２５２は、プロセッサ２５１により実行される制御プログラムの他、例えば通信タグ２０に固有のＩＤ情報を格納している。
【００４２】
（情報提供部４０の詳細構成）
図２に示すように、本実施形態にかかる情報提供部４０は、データベースＤＢを格納する格納部４１と、サービス選択／サービス実行部４２と、を備える。
【００４３】
データベースＤＢは、通信タグ２０のＩＤ情報と、通信タグ２０が貼り付けられた設備機器Ａ、Ｂ…の操作マニュアルや操作プログラム等のサービスと、を対応づけている。サービス選択／サービス実行部４２は、携帯端末３０から取得したＩＤ情報と、格納部４１に格納されたデータベースＤＢと、に基づき、ＩＤ情報に対応する設備機器Ａ、Ｂ…の操作マニュアルや操作プログラム等のサービスを選択して、該操作マニュアルや操作プログラム等を携帯端末２０に送信する。情報提供部４０としては、例えばサーバやクラウドを使用しても良い。
【００４４】
（操作機１０に内蔵されたコントローラ１６の機能ブロック）
図７は、一実施形態にかかる操作機１０に内蔵されたコントローラ１６の機能ブロック図である。
【００４５】
本実施形態にかかるコントローラ１６は、主として、プロセッサ１６１と、メモリ１６２と、により構成され（図２参照）、図７に示すように、再帰光検知判定部１６ａと、ＩＤ要求コマンド送信部１６ｂと、ＩＤ情報識別部１６ｃと、ＩＤ統合部１６ｄと、外部通信Ｉ／Ｆ部１６ｅと、送信処理部１６ｆと、受信処理部１６ｇと、を備える。
【００４６】
再帰光検知判定部１６ａと、ＩＤ要求コマンド送信部１６ｂと、ＩＤ情報識別部１６ｃと、ＩＤ統合部１６ｄと、外部通信Ｉ／Ｆ部１６ｅと、送信処理部１６ｆと、受信処理部１６ｇは、何れもメモリ１６２に記憶されている制御プログラムに基づき、プロセッサ１６１により実現される。
【００４７】
再帰光検知判定部１６ａは、レーザポインタ１１の機械スイッチ（図示しない）が押圧されたときに出力されるＯＮ信号により起動され、照度センサ１２の出力信号、即ち「０」又は「１」に基づき、再帰光Ｌｒを受光したかどうかを判定する。
【００４８】
ＩＤ要求コマンド送信部１６ｂは、再帰光検知判定部１６ａが再帰光Ｌｒを受光したことを確認した場合、コントローラ１６のメモリ１６２に記憶されたＩＤ要求コマンドに基づき、ＩＤ要求信号Ｓｒを生成して、送信処理部１６ｆにＩＤ要求信号Ｓｒの送信を指示する。ＩＤ要求コマンドは、設備機器Ａ、Ｂ…のＩＤ情報を要求するコマンドであるが、設備機器Ａ、Ｂ…の種別に依らない共通コマンドである。
【００４９】
ＩＤ情報識別部１６ｃは、ＩＤ情報信号受信ユニット１４により受信されたＩＤ情報信号Ｓｉを、受信処理部１６ｇから受け取り、該ＩＤ情報信号Ｓｉが、通信タグ２０のＩＤ情報信号送信ユニット２４から送信された、設備機器Ａ、Ｂ…を識別するためのＩＤ情報信号Ｓｉであるかどうかを識別する。ＩＤ情報信号Ｓｉは、送信処理部１６ｆにより送信されたＩＤ要求信号Ｓｒへの応答信号である。
【００５０】
ＩＤ統合部１６ｄは、ＩＤ情報識別部１６ｃにより識別された、設備機器Ａ、Ｂ…を識別するためのＩＤ情報に、操作機１０のＩＤ情報を統合するとともに、これをコード化することで、ＩＤコードＣを生成する。
【００５１】
外部通信Ｉ／Ｆ部１６ｅは、ＩＤ統合部１６ｄにより生成されたＩＤコードＣを、無線通信ユニット１５から、無線通信ユニット１５にペアリングされた携帯端末３０に送信する。
【００５２】
送信処理部１６ｆは、ＩＤ要求コマンド送信部１６ｂからの指示に基づき、ＩＤ要求信号送信ユニット１３からＩＤ要求信号Ｓｒを送信する。
【００５３】
受信処理部１６ｇは、ＩＤ情報信号送信ユニット２４から送信されたＩＤ情報信号ＳｉをＩＤ情報信号受信ユニット１４から受信する。
【００５４】
携帯端末３０は、外部通信Ｉ／Ｆ部１６ｅから送信されたＩＤコードＣを受信して、例えば情報提供部４０等から、該ＩＤコードＣに対応する設備機器Ａ、Ｂ…の関連情報を取得する。関連情報としては、例えば設備機器Ａ、Ｂ…の操作マニュアルや操作プログラム等が挙げられる。
【００５５】
携帯端末３０が操作マニュアルを取得した場合、携帯端末３０のディスプレイに操作マニュアルを表示させれば、はじめて使用する設備機器であっても、簡単に使用することができる。又、携帯端末３０が操作プログラムを取得した場合、操作プログラムを携帯端末３０にセットアップすることで、携帯端末３０の操作により、設備機器Ａ、Ｂ…を簡単に使用することができる。
【００５６】
（操作機１０に内蔵されたコントローラ１６による処理のフローチャート）
図８は、一実施形態にかかる操作機１０に内蔵されたコントローラ１６による処理のフローチャートである。
【００５７】
本実施形態にかかるコントローラ１６による処理フローは、利用者Ｕによるレーザポインタ１１の機械スイッチの押圧により開始する。
【００５８】
図８に示すように、処理フローが開始したら、再帰光検知判定部１６ａは、レーザポインタ１１の機械スイッチの押圧中に、照度センサ１２が再帰光Ｌｒを受光したかどうかを判定する（ステップＳ１０１）。
【００５９】
レーザポインタ１１の機械スイッチの押圧中に、照度センサ１２が再帰光Ｌｒを受光したと判定したら（ステップＳ１０１のＹｅｓ）、ＩＤ要求コマンド送信部１６ｂは、設備機器ＡのＩＤ情報を要求するＩＤ要求コマンドに基づき、ＩＤ要求信号Ｓｒを生成して（ステップＳ１０２）、送信処理部１６ｆにＩＤ要求信号Ｓｒの送信を指示する（ステップＳ１０３）。さらに、ＩＤ要求コマンド送信部１６ｂは、ＩＤ要求信号Ｓｒの送信の指示を始点として、タイムカウントを開始する。ＩＤ要求信号送信ユニット１３は、送信処理部１６ｆからの指示に基づき、ＩＤ要求信号Ｓｒを送信する。このように、本実施形態では、照度センサ１２が再帰光Ｌｒを受光したことをトリガとして、ＩＤ要求信号Ｓｒを送信する。換言すれば、操作機１０の先方、即ちＩＤ要求信号送信ユニット１３の先方に、通信タグ２０が確実に存在するときに、ＩＤ要求信号Ｓｒを送信する。このため、通信タグ２０のＩＤ要求信号受信ユニット２３にＩＤ要求信号Ｓｒを確実に受信させることができる。これにより、無暗にＩＤ要求信号Ｓｒを送信することによる消費電力の増加を防止することができる。
【００６０】
一方、レーザポインタ１１の機械スイッチの押圧中に、照度センサ１２が再帰光Ｌｒを受光しないと判断したら（ステップＳ１０１のＮｏ）、再帰光検知判定部１６ａは、再度、照度センサ１２が再帰光Ｌｒを受光したかどうかを判定する（ステップＳ１０１）。このように、本実施形態では、照度センサ１２が再帰光Ｌｒを受光しない限り、ＩＤ要求信号送信ユニット１３を起動しない。このため、操作機１０の消費電力を抑制することができる。
【００６１】
次に、ＩＤ情報識別部１３ｃは、ＩＤ要求信号Ｓｒの送信の指示から所定時間内に、受信処理部１６ｇがＩＤ情報信号Ｓｉを受信したかどうかを判定する（ステップＳ１０４）。
【００６２】
ＩＤ要求信号Ｓｒの送信の指示から所定時間内に、受信処理部１６ｇがＩＤ情報信号Ｓｉを受信したと判定したら（ステップ１０４のＹｅｓ）、ＩＤ統合部１６ｄは、受信処理部１６ｇにより受信されたＩＤ情報信号ＳｉからＩＤ情報を取得するとともに、これに操作機１０の操作機ＩＤを統合して、ＩＤコードＣを生成する（ステップＳ１０５）。
【００６３】
一方、ＩＤ要求信号Ｓｒの送信の指示から所定時間内に、受信処理部１６ｇがＩＤ情報信号Ｓｉを受信しないと判断したら（ステップＳ１０４のＮｏ）、コントローラ１６による処理フローは終了する。
【００６４】
次に、外部通信Ｉ／Ｆ部１６ｅは、ＩＤ統合部１６ｄにより生成されたＩＤコードＣの、ペアリングされた携帯端末３０への送信を無線通信ユニット１５に指示する（ステップＳ１０６）。無線通信ユニット１５は、外部通信Ｉ／Ｆ部１６ｅからの指示に基づき、自身にペアリングされた携帯端末３０にＩＤコードＣを転送する。以上で、コントローラ１６による処理フローが終了する。
【００６５】
以上の処理フローにより携帯端末３０に送信されたＩＤコードＣは、携帯端末３０の通信機能により、例えばサーバやクラウド等の情報提供部４０に転送される。情報提供部４０のサービス選択／サービス実行部４２は、格納部４１に格納されたデータベースＤＢを参照して、携帯端末３０から転送されたＩＤコードＣに対応する設備機器Ａの操作マニュアルや操作プログラム等のサービスを選択して、該サービスを携帯端末３０に送信する。こうして、利用者Ｕは、自身の携帯端末３０に、設備機器Ａの操作マニュアルや操作プログラム等を取得することになる。
【００６６】
（通信タグ２０に内蔵されたコントローラ２５の機能ブロック）
図９は、一実施形態にかかる通信タグ２０に内蔵されたコントローラ２５の機能ブロック図である。
【００６７】
本実施形態にかかるコントローラ２５は、主として、プロセッサ２５１と、メモリ２５２と、により構成され（図６参照）、図９に示すように、ＩＤ要求コマンド識別部２５ａと、ＩＤ情報送信部２５ｂと、受信処理部２５ｃと、送信処理部２５ｄと、を備える。
【００６８】
ＩＤ要求コマンド識別部２５ａと、ＩＤ情報送信部２５ｂと、受信処理部２５ｃと、送信処理部２５ｄは、何れもメモリ２５２に記憶されている制御プログラムに基づき、プロセッサ２５１により実現される。
【００６９】
ＩＤ要求コマンド識別部２５ａは、ＩＤ要求信号受信ユニット２３により受信されたＩＤ要求信号Ｓｒを、受信処理部２５ｃから受け取り、該ＩＤ要求信号Ｓｒが、操作機１０のＩＤ要求信号送信ユニット１３から送信された、設備機器Ａ、Ｂ…のＩＤ情報を要求するＩＤ要求信号Ｓｒであるかどうかを識別する。
【００７０】
ＩＤ情報送信部２５ｂは、ＩＤ要求コマンド識別部２５ａがＩＤ要求信号Ｓｒを、設備機器Ａ、ＢのＩＤ情報を要求するＩＤ要求信号Ｓｒとして認識した場合、コントローラ２５のメモリ２５２に記憶されたＩＤ情報に基づき、ＩＤ情報信号Ｓｉを生成して、送信処理部２５ｄにＩＤ情報信号Ｓｉの送信を指示する。
【００７１】
受信処理部２５ｃは、ＩＤ要求信号送信ユニット１３から送信されたＩＤ要求信号ＳｒをＩＤ要求信号受信ユニット２３から受信する。
【００７２】
送信処理部２５ｄは、ＩＤ情報送信部２５ｂからの指示に基づき、ＩＤ情報信号送信ユニット２４からＩＤ情報信号Ｓｉを送信する。
【００７３】
（通信タグ２０に内蔵されたコントローラ２５による処理のフローチャート）
図１０は、一実施形態にかかる通信タグ２０に内蔵されたコントローラ２５による処理のフローチャートである。
【００７４】
図１０に示すように、本実施形態にかかるコントローラ２５による処理フローが開始したら、ＩＤ要求コマンド識別部２５ａは、ＩＤ要求信号送信ユニット１３から送信された、設備機器Ａ、Ｂ…のＩＤ情報を要求するＩＤ要求信号Ｓｒを受信したかどうかを判断する（ステップＳ３０１）。
【００７５】
ＩＤ要求コマンド識別部２５ａが、ＩＤ要求信号送信ユニット１３から送信された、設備機器Ａ、Ｂ…のＩＤ情報を要求するＩＤ要求信号Ｓｒを受信したと判断したら（ステップＳ３０１のＹｅｓ）、ＩＤ情報送信部２５ｂは、コントローラ２５のメモリ２５２に記憶されたＩＤ情報に基づき、ＩＤ情報信号Ｓｉを生成して（ステップＳ３０２）、送信処理部２５ｄにＩＤ情報信号Ｓｉの送信を指示する（ステップＳ３０３）。
【００７６】
一方、ＩＤ要求コマンド識別部２５ａが、ＩＤ要求信号送信ユニット１３から送信された、設備機器Ａ、Ｂ…のＩＤ情報を要求するＩＤ要求信号Ｓｒを受信したと判断しなければ（ステップＳ３０１のＮｏ）、ＩＤ要求コマンド識別部２５ａは、再度、ＩＤ要求信号送信ユニット１３から送信された、設備機器Ａ、Ｂ…のＩＤ情報を要求するＩＤ要求信号Ｓｒを受信したかどうかを判定する（ステップＳ３０１）。以上で、コントローラ２５による処理フローが終了する。
【００７７】
以上のように、本実施形態にかかる情報取得システムでは、照度センサ１２が再帰光Ｌｒを受光したことをトリガとして、操作機１０からＩＤ要求信号Ｓｒを送信する。換言すれば、操作機１０の先方、即ちＩＤ要求信号送信ユニット１３の先方に、通信タグ２０が確実に存在するときに、ＩＤ要求信号Ｓｒを送信する。
【００７８】
このため、操作機１０からＩＤ要求信号Ｓｒを送信する送信機として、高指向性のＩＤ要求信号送信ユニット１３を使用しても、通信タグ２０のＩＤ要求信号受信ユニット２３にＩＤ要求信号Ｓｒを確実に受信させることができる。これにより、無暗（むやみ）にＩＤ要求信号Ｓｒを送信することによる消費電力の増加を防止することができる。しかも、高指向性のＩＤ要求信号送信ユニット１３を使用するので、利用者Ｕの意図していない設備機器にＩＤ要求信号Ｓｒが送信されることを防止できる。
【００７９】
さらに、前述のように、操作機１０の先方に通信タグ２０が確実に存在するときに、ＩＤ要求信号Ｓｒを送信するので、ＩＤ要求信号Ｓｒが到達する距離を延ばすことができ、結果として、ＩＤ要求信号送信ユニット１３の出力パワーを抑制することができる。
【００８０】
また、通信タグ２０がＩＤ情報信号Ｓｉを送信するときも同様に、通信タグ２０の先方、即ちＩＤ情報信号送信ユニット２４の先方に、操作機１０が確実に存在する。このため、通信タグ２０がＩＤ情報信号Ｓｉを送信する送信機として、低指向性のＩＤ情報信号送信ユニット２４を使用しても、操作機１０のＩＤ情報信号受信ユニット１４にＩＤ情報信号Ｓｉを確実に受信させることができる。これにより、操作機１０のＩＤ情報信号受信ユニット１４によるＩＤ情報信号Ｓｉの受信エラーが発生しにくくなるので、通信タグ２０によるＩＤ情報信号Ｓｉの再送を抑制でき、結果として、通信タグ２０の消費電力を低減することができる。
【００８１】
本実施形態にかかる情報取得システムでは、送信機１０のＩＤ要求信号受信ユニット２３がＩＤ要求信号Ｓｒを受信したことをトリガとして、ＩＤ情報信号送信ユニット２４が起動され、ＩＤ情報信号Ｓｉを送信する。このため、ＩＤ要求信号受信ユニット２３がＩＤ要求信号Ｓｒを受信するまで、ＩＤ情報信号送信ユニット２４に電力を供給する必要が無いので、通信タグ２０の消費電力を低減することができる。
【００８２】
但し、通信タグ２０のＩＤ情報信号送信ユニット２４は、間欠的にＩＤ情報信号Ｓｉを送信しても良い。ＩＤ情報信号Ｓｉを間欠的に送信しても、液晶変調器等を使用しないので、従来技術に比べれば、通信タグ２０の消費電力を低減することができる。
【００８３】
なお、本実施形態は、照度センサ１２が再帰光Ｌｒを受光したことをトリガとして、操作機１０からＩＤ要求信号Ｓｒを送信しているが、本発明は、これに限定されるものではない。例えばビーコン信号のように、物体側（例えば通信タグ２０）が常に識別信号を送出していることも考えられるので、必ずしも操作機１０からＩＤ要求信号Ｓｒを送信しなくても良い。さらに、物体側（例えば通信タグ２０）がポインティングレーザ光Ｌｐを照射されたことをトリガとして、ＩＤ情報信号Ｓｉを送信することも考えられるので、このことからしても、必ずしも操作機１０からＩＤ要求信号Ｓｒを送信しなくても良い。
【符号の説明】
【００８４】
１０：操作機
１１：レーザポインタ
１２：照度センサ
１３：ＩＤ要求信号送信ユニット
１４：ＩＤ情報信号受信ユニット
１５：無線通信ユニット
１６：コントローラ
１６ｃ：ＩＤ情報識別部
２０：通信タグ
２１：再帰性シート
２３：ＩＤ要求信号受信ユニット
２４：ＩＤ情報信号送信ユニット
２５：コントローラ
３０：携帯端末
４０：情報提供部
２５２：メモリ
Ａ：設備機器
Ｂ：設備機器
Ｌｒ：再帰光
Ｌｐ：ポインティングレーザ光
Ｓｉ：ＩＤ情報信号
Ｓｒ：ＩＤ要求信号
【図１】
2013088943.tif 000003
【図２】
2013088943.tif 000004
【図３】
2013088943.tif 000005
【図４】
2013088943.tif 000006
【図５】
2013088943.tif 000007
【図６】
2013088943.tif 000008
【図７】
2013088943.tif 000009
【図８】
2013088943.tif 000010
【図９】
2013088943.tif 000011
【図１０】
2013088943.tif 000012